(57)【要約】【課題】外壁面材の正面側に接合跡を残すことがなく、接合跡を隠す処理を行う必要もなく、しかも、外壁面材とパネルフレームとをしっかりと接合することができる構造の外壁パネルを提供する。【解決手段】外壁面材３とパネルフレーム４との間に面材保持金物６が介設され、該面材保持金物６は、パネルフレーム４に背後からビス７で接合されると共に、保持係合部６ａを備えて該保持係合部６ａで外壁面材３の縁部を保持しており、かつ、前記ビス７は、その先端が外壁面材３の肉内にねじ込まれてパネルフレーム４と外壁面材３とを接合している。【選択図】      図１
2004353336.tif 000002
【特許請求の範囲】
【請求項１】
外壁面材とパネルフレームとの間に面材保持金物が介設され、
該面材保持金物は、パネルフレームに背後からビスで接合されると共に、保持係合部を備えて該保持係合部で外壁面材の縁部を保持しており、かつ、
前記ビスは、その先端が外壁面材の肉内にねじ込まれてパネルフレームと外壁面材とを接合していることを特徴とする外壁パネル。
【請求項２】
前記面材保持金物が、外壁パネルの側縁部に備えられ、左右方向において隣り合う外壁パネルの外壁面材の側縁部と係合して該外壁面材を保持する第２保持係合部を備えている請求項１に記載の外壁パネル。
【発明の詳細な説明】
【０００１】
【発明の属する技術分野】
本発明は、外壁パネルに関する。
【０００２】
【従来の技術及び課題】
住宅等の建物に用いられる従来の外壁パネルでは、外壁面材とパネルフレームとを外壁面材の正面側からネジ金具でしっかりと接合していたため、外壁面材の正面側に接合跡が残ってしまったり、接合跡を隠すための処理を行わなければならないなどの問題があった。
【０００３】
本発明は、かかる問題点に鑑み、外壁面材の正面側に接合跡を残すことがなく、接合跡を隠す処理を行う必要もなく、しかも、外壁面材とパネルフレームとをしっかりと接合することができる構造の外壁パネルを提供することを課題とする。
【０００４】
【課題を解決するための手段】
上記の課題は、外壁面材とパネルフレームとの間に面材保持金物が介設され、該面材保持金物は、パネルフレームに背後からビスで接合されると共に、保持係合部を備えて該保持係合部で外壁面材の縁部を保持しており、かつ、
前記ビスは、その先端が外壁面材の肉内にねじ込まれてパネルフレームと外壁面材とを接合していることを特徴とする外壁パネルによって解決される。
【０００５】
この外壁パネルでは、外壁面材は、パネルフレームにビスで接合された面材保持金物の保持係合部によって縁部を保持され、しかも、面材保持金物はパネルフレームに背後からビスで接合され、そのビスの先端が外壁面材の肉内にねじ込まれ、このビスによっても外壁面材はパネルフレームに保持されているので、これら面材保持金物とビスによるダブル保持作用で、外壁面材とパネルフレームとをしっかりとした接合状態にすることができる。
【０００６】
しかも、外壁面材は、ビスによる接合と併せて、面材保持金物による保持作用でパネルフレームに保持される構造となされているので、外壁面材の背面側からのビス打ちであっても、また、外壁面材の肉内へのビスの打込み深さが浅くても、しっかりとした保持状態にすることができ、従って、外壁面材の正面側にビスによる接合跡を残すこともないし、接合跡を隠す処理を行う必要もない。
【０００７】
加えて、ビスは、パネルフレームへの面材保持金物の接合と、パネルフレームと外壁面材との接合を兼ねるようにして打たれているので、外壁面材とパネルフレームとの接合に用いるビスの本数を少なくすることができて、ビス打ちを能率良く行っていくことができる。
【０００８】
また、上記の外壁パネルにおいて、面材保持金物が、外壁パネルの側縁部に備えられ、左右方向において隣り合う外壁パネルの外壁面材の側縁部と係合して該外壁面材を保持する第２保持係合部を備えている場合は、少ない数の面材保持金物で外壁面材を合理的に保持することができる。
【０００９】
【発明の実施の形態】
次に、本発明の実施形態を図面に基づいて説明する。
【００１０】
図１（イ）（ロ）に示す実施形態の外壁パネル１において、３は外壁面材、４は側部の縦パネルフレームであり、外壁面材３と縦パネルフレーム４との間には帯板状の縦下地材５が備えられ、縦下地材５と外壁面材３との間に面材保持金物６が介装されている。
【００１１】
そして、縦パネルフレーム４は、溝形鋼からなっていて、外壁面材３側のフランジには、ビス７の頭部は通さず、左右方向に長いルーズなビス通し孔８が明けられると共に、外壁面材３とは反対側のフランジには、ビス操作孔９が明けられ、面材保持金物６は、縦パネルフレーム４の背後から打ち込まれたビス７によって縦パネルフレーム４に接合され、この面材保持金物６に備えられた第１保持係合部６ａが外壁面材３の側縁部と係合して外壁面材３を保持している。
【００１２】
更に、上記のビス７は、その先端が外壁面材３の肉内にねじ込まれてパネルフレーム４と外壁面材３とを接合している。なお、ビス７の先端は外壁面材３の正面側から突出することなく外壁面材３の肉内におさまっていることはいうまでもない。
【００１３】
この外壁パネル１では、外壁面材３が、縦パネルフレーム４にビス７で接合された面材保持金物６の第１保持係合部６ａによって側縁部を保持され、しかも、面材保持金物６はパネルフレーム４に背後からビス７で接合され、そのビス７の先端が外壁面材３の肉内にねじ込まれているので、このビス７によっても外壁面材３はパネルフレーム４に保持され、これら面材保持金物６とビス７によるダブルの保持作用で、外壁面材３とパネルフレーム４とをしっかりとした接合状態にすることができ、外壁面材３の正面側にビス７による接合跡を残すこともないし、接合跡を隠す処理を行う必要もない。
【００１４】
加えて、面材保持金物６を縦パネルフレーム４に接合するためのビス７を外壁面材３の肉内にねじ込むようにしているので、面材保持金物６を縦パネルフレーム４に接合するビスと、縦パネルフレーム４を外壁面材３に接合するビスとを別々に打つ場合に比べて、外壁面材３とパネルフレーム４との接合に用いるビスの本数を少なくすることができて、ビス打ちを能率良く行っていくことができる。
【００１５】
そして、本実施形態の外壁パネル１では、面材保持金物６として、図３（ロ）等に示すように、第２保持係合部６ｂが備えられたものが用いられており、図２に示すように、先行する外壁パネル２を建物躯体の柱１０に接合して建方を終えた後、上記の外壁パネル１を同じく建物躯体の柱１０に接合して建方を行い、その際、図１（イ）に示すように、面材保持金物６の第２保持係合部６ｂを先行外壁パネル２の外壁面材３の側縁部に係合させるようにして、左右方向において隣り合う外壁パネル２の外壁面材３をも保持するようになされている。これにより、少ない数の面材保持金物６で各外壁パネル１，２の外壁面材３，３を合理的に保持することができる。
【００１６】
その際、外壁パネル１，２の製作上の誤差や現場施工上の誤差により、図４（イ）に示すように、面材保持金物６の第２保持係合部６ｂが建方先行外壁パネル２の外壁面材３の側縁部に適正に係合していない場合には、ビス７の通されている通し孔８がルーズ孔であることを利用し、図４（ロ）に示すように、外壁面材３を縦パネルフレーム４に対して建方先行外壁パネル２の側に変位動させれば、面材保持金物６も一体となって変位動し、面材保持金物６の第２保持係合部６ｂに先行外壁パネル２の外壁面材３の側縁部を係合保持させるようにすることができる。
【００１７】
以上に、本発明の実施形態を示したが、本発明はこれに限られるものではなく、発明思想を逸脱しない範囲で各種の変更が可能である。例えば、上記の実施形態では、面材保持金物６が外壁面材３の側縁部と係合して外壁面材３を保持している場合を示しているが、面材保持金物は外壁面材の下縁部や上縁部と係合して外壁面材を保持するものであってもよく、また、一つの外壁パネルに複数枚の外壁面材が備えられている場合などにおいて、面材保持金物は、外壁パネルの面内の内方側において各外壁面材の縁部を保持するものであってもよく、いずれの場合であっても、面材保持金物をパネルフレームに接合しているビスを外壁面材の肉内にねじ込むことで、外壁面材をパネルフレームにしっかりと接合することができる。また、上記の実施形態では、面材保持金物６が、隣り合う外壁パネル１の外壁面材３を係合保持する第２保持係合部６ｂを備えている場合を示しているが、この第２保持係合部６ｂを省略し、自身の外壁面材のみを係合保持する第１保持係合部６ａのみを備えたものであってもよい。
【００１８】
【発明の効果】
本発明の外壁パネルは、以上のとおりのものであるから、外壁面材の正面側に接合跡を残すことがなく、接合跡を隠す処理を行う必要もなく、しかも、外壁面材とパネルフレームとをしっかりと接合することができる。
【図面の簡単な説明】
【図１】実施形態の外壁パネルを示すもので、図（イ）はビス打ち前の平面断面図、図（ロ）はビス打ち後の平面断面図である。
【図２】外壁パネルの建方の方法を示す平面断面図である。
【図３】図（イ）は同外壁パネルを用いて形成された外壁の平面断面図、図（ロ）は金物の平面図、図（ハ）（ニ）はそれぞれ外壁面材の平面断面図である。
【図４】図（イ）は外壁パネルの建方不良状態を示す平面断面図、図（ロ）はその修復方法を示す平面断面図である。
【符号の説明】
１…外壁パネル
３…外壁面材
４…パネルフレーム
６…面材保持金物
６ａ…第１保持係合部
６ｂ…第２保持係合部
７…ビス
【図１】
2004353336.tif 000003
【図２】
2004353336.tif 000004
【図３】
2004353336.tif 000005
【図４】
2004353336.tif 000006